(57)【要約】【課題】簡易な機器構成で除湿運転中の対象空間の温度の変動を抑制し、さらに信頼性の高い除湿装置を得る。【解決手段】冷媒を圧縮する圧縮機１と、流量調整弁３と、冷媒との熱交換により、除湿対象空間に送り出す空気を冷却して除湿を行う蒸発器４と、蒸発器４を通過した空気を加熱して除湿対象空間に送り出すための再熱熱交換器２と、熱交換により、流入した冷媒から放熱させる室外熱交換器５と、再熱熱交換器２又は室外熱交換器５のいずれかに流入させるための切り替えを行う再熱用電磁弁６及び冷却用電磁弁７と、蓄熱材を有し、再熱熱交換器２により加熱された空気からは蓄熱し、再熱熱交換器２により加熱されなかった空気には蓄熱に係る熱を放出する蓄排熱熱交換器９と、蒸発器４、再熱熱交換器２、蓄排熱熱交換器９に空気を通過させて除湿対象空間に送り出す送風機８とを備える。【選択図】図１
2011156479.tif 000002
【特許請求の範囲】
【請求項１】
冷媒を圧縮する圧縮機と、
冷媒の流量と圧力を調整するための流量調整弁と、
該流量調整弁で調整された前記冷媒との熱交換により、除湿対象空間に送り出す空気を冷却して凝結させた水分を回収して除湿を行う冷却器と、
流入した前記冷媒との熱交換により、前記冷却器を通過した空気を加熱して前記除湿対象空間に送り出すための再熱熱交換器と、
熱交換により、流入した前記冷媒から放熱させる室外熱交換器と、
前記圧縮機からの前記冷媒を、前記再熱熱交換器又は前記室外熱交換器のいずれかに流入させるための流路切り替えを行う切り替え手段と、
蓄熱材を有し、前記再熱熱交換器により加熱された空気からは蓄熱し、前記再熱熱交換器により加熱されなかった空気には前記蓄熱に係る熱を放出する蓄排熱手段と、
前記冷却器、前記再熱熱交換器、前記蓄排熱手段に空気を通過させて前記除湿対象空間に送り出す送風機と
を備えることを特徴とする除湿装置。
【請求項２】
前記蓄排熱手段は蓄排熱用熱交換器であることを特徴とする請求項１に記載の除湿装置。
【請求項３】
流体の蓄熱材を貯留しておくための容器をさらに有し、前記蓄排熱用熱交換器と前記容器との間で前記蓄熱材が循環するように、該容器と前記蓄排熱用熱交換器とを少なくとも二本の配管で接続することを特徴とする請求項２に記載の除湿装置。
【請求項４】
前記再熱熱交換器と前記蓄排熱用熱交換器とを一体形成することを特徴とする請求項２又は３に記載の除湿装置。
【発明の詳細な説明】
【技術分野】
【０００１】
この発明は、温度調整機能を有する除湿装置に関するものである。
【背景技術】
【０００２】
従来から、冷凍サイクルを利用して除湿対象空間（以下、対象空間という）の除湿を行うことができる除湿装置がある。さらに温度調整を行いながら対象空間の除湿を行うことができるものがある。
【０００３】
このような装置では、例えば、冷凍サイクルにおける凝縮が行われる熱交換器として、対象空間側には再熱熱交換器を備え、対象空間外には室外放熱器とを備えている。また、例えば、どちらかの熱交換器に冷媒を通過させるように切り替えを行うことができる電磁弁を備えている。
【０００４】
そして、例えば対象空間の空気を加熱又は温度維持する再熱除湿運転を行う際は、再熱熱交換器に冷媒を通過させて放熱させることで、蒸発器において露点温度まで冷却し、結露させて減湿した空気を再度加熱（再熱。レヒート）して対象空間に送り出すようにする（送り出しに係る空気を、以下、吹き出し空気という）。一方、対象空間を冷却しつつ、除湿を行う冷却除湿運転を行う際には、室外放熱器を通過させることで対象空間外で放熱させ、対象空間には蒸発器において冷却減湿した吹き出し空気を送り出すようにする。以上のような除湿運転と冷却除湿運転とを、電磁弁を切り替えながら行うことで、対象空間内の除湿を行いつつ、例えば、定められた目標温度に保つようにする（例えば特許文献１参照）。
【０００５】
また、例えば温度調節器を複数設け、再熱熱交換器と室外放熱器との両方に調整しながら冷媒を流すことができるようにした装置も提案されている（例えば特許文献２参照）。そして、再熱熱交換器に流す冷媒を少なくすることで、再熱熱交換器における放熱量を少なくした弱再熱除湿運転を、再熱除湿運転と冷却除湿運転との間に行えるようにしている。
【先行技術文献】
【特許文献】
【０００６】
【特許文献１】特許第４００６６７９号公報（図１）
【特許文献２】特許第３８６１４１６号公報（図１）
【発明の概要】
【発明が解決しようとする課題】
【０００７】
例えば、特許文献１のような構成では、再熱除湿運転中は、除湿量に相当する水分の凝縮潜熱分（蒸発器において冷媒が吸い込み空気から吸熱する熱量分）及び圧縮機により冷媒に加わる熱量分を再熱熱交換器において放熱することになる。このため、吹き出し空気の温度は吸い込み空気の温度に対して高くなる。一方で、冷却除湿運転中は、露点温度まで冷却した空気を再熱熱交換器において熱交換せずに対象空間に送り出すため、吹き出し空気の温度が低くなる。このため、対象空間では空気の温度が急上昇、急下降することがある。このため、頻繁に運転（電磁弁）の切り替えを行わなければならなくなる。
【０００８】
また、例えば、変動（変化幅）を小さくしようとすると、再熱除湿運転から冷却除湿運転に切り替える温度と冷却除湿運転から再熱除湿運転に切り替える温度との温度幅が狭くなる。このため、温度幅を狭くすると、頻繁に運転（電磁弁）の切り替えを行わなければならなくなる。以上のように、切り替えを頻繁に行うと、装置及び装置を構成する機器の寿命を短くする一因となる。
【０００９】
また、特許文献２のように、温度調節器を複数設け、弱再熱除湿運転を行うことで電磁弁等の切り替えを少なくすることもできるが、運転を切り替えるための温度調節器や冷媒回路を切り替えるための電磁弁等の冷媒回路部品、電気回路部品などが複雑になる。また、機器、部品等が増えることで、装置全体として故障の確率も高くなってしまう等の問題があった。
【００１０】
さらに、上記のような装置構成では、露点温度まで冷却した空気の相対湿度は飽和曲線に極端に近くなるため、冷却除湿運転中の吹き出し空気の温度の影響を受ける対象空間において、乾燥速度を遅くする一要因ともなる。
【００１１】
この発明は上記のような課題を解決するためになされたもので、簡易な機器構成で除湿運転中の対象空間の温度の変動を抑制し、さらに信頼性の高い除湿装置を得ることを目的とする。
【課題を解決するための手段】
【００１２】
上記の目的を達成するために、本発明に係る除湿装置は、冷媒を圧縮する圧縮機と、冷媒の流量と圧力を調整するための流量調整弁と、流量調整弁で調整された冷媒との熱交換により、除湿対象空間に送り出す空気を冷却して凝結させた水分を回収して除湿を行う冷却器と、流入した冷媒との熱交換により、冷却器を通過した空気を加熱して除湿対象空間に送り出すための再熱熱交換器と、熱交換により、流入した冷媒から放熱させる室外熱交換器と、圧縮機からの冷媒を、再熱熱交換器又は室外熱交換器のいずれかに流入させるための切り替えを行う切り替え手段と、蓄熱材を有し、再熱熱交換器により加熱された空気からは蓄熱し、再熱熱交換器により加熱されなかった空気には蓄熱に係る熱を放出する蓄排熱手段と、冷却器、再熱熱交換器、蓄排熱手段に空気を通過させて除湿対象空間に送り出す送風機とを備える。
【発明の効果】
【００１３】
本発明によれば、蓄排熱手段が、再熱熱交換器により加熱された空気からは蓄熱しておき、蒸発器に冷却されたものの、再熱熱交換器により加熱されなかった空気には、蓄熱に係る熱を放出するようにしたので、流路切替弁等のアクチュエータを多く冷媒回路上に設けることなく、除湿装置から吹き出す空気の温度変化幅を小さくすることができる。これにより、除湿対象空間の温度変化幅を小さくすることができる。このとき、温度の変化幅に対して、切り替え手段による冷媒流路を切り替える回数を減らすことができるので、信頼性の高い除湿装置を得ることができる。
【図面の簡単な説明】
【００１４】
【図１】本発明の実施の形態１に係る除湿装置の構成を示す図である。
【図２】蓄排熱熱交換器９の一構造例を表す図である。
【図３】冷却除湿運転及び再熱除湿運転における空気の変化を表す空気線図である。
【図４】空気の温度と運転切り替えタイミングとの関係を表す図である。
【図５】制御装置１０による動作制御処理のフローチャートを表す図である。
【図６】本発明の実施の形態２に係る蓄排熱熱交換器９の構成を示す図である。
【図７】本発明の実施の形態３に係る除湿装置の構成を示す図である。
【発明を実施するための形態】
【００１５】
実施の形態１．
図１は本発明の実施の形態１に係る除湿装置の構成を示す図である。本実施の形態の除湿装置は、室内側装置１００と室外側装置２００で構成されている。そして、圧縮機１、流量調整弁３、蒸発器４並びに、再熱熱交換器２及び室外熱交換器５を配管接続して、冷媒等の熱量搬送媒体（以下、冷媒とする）を循環させる冷媒回路を構成する。ここで、湿度という場合には、特に断らない限り、相対湿度であるものとして説明する（湿度の値、データについても湿度というものとする）。また、温度に関しても、特に断らない限り、乾球温度であるものとして説明する（温度の値、データについても温度というものとする）。
【００１６】
圧縮機１は、冷媒を吸入して、その冷媒を圧縮して高温・高圧のガス状態にして送り出す（吐出する）。特に限定するものではないが、本実施の形態の圧縮機１は制御装置１０からの指示に基づいて、運転周波数を任意に変化させることにより容量（単位時間あたりの冷媒を送り出す量）を変化させることができる、インバータ圧縮機であるものとする。
【００１７】
再熱熱交換器２は、凝縮器として機能し、再熱用電磁弁６の開閉により、流入した冷媒と蒸発器４を通過した空気とを熱交換させる。これにより、蒸発器４を通過して、除湿、冷却された空気が再度加熱されて送り出されることになる。
【００１８】
流量調整弁（膨張弁）３は、制御装置１０からの指示に基づいて、開度を変化させて蒸発器４を流れる冷媒の流量、圧力を調整して、蒸発器４における蒸発能力を調整するための弁である。弁の種類については特に限定するものではないが、本実施の形態の流量調整弁３は、電流等を流してモータを駆動させ、電気的に開度を調整できる電動弁とする。
【００１９】
蒸発器４は、流量調整弁３を通過した冷媒等の熱量搬送媒体（流体）と送風機８の駆動によって除湿装置に吸入された吸い込み空気との熱交換を行う。このとき、吸い込み空気を冷却し、空気内の水分を凝結させて回収して除湿を行って送り出す。本実施の形態では、以上の機器を室内側装置１００が有しているものとする。
【００２０】
室外側装置２００が有する室外熱交換器５は、冷却用電磁弁７の開閉状態により、冷却除湿運転時に凝縮器として機能する（このとき再熱熱交換器２は凝縮器として機能しない）。
【００２１】
再熱用電磁弁６は、制御装置１０からの指示に基づいて開閉制御を行う。再熱用電磁弁６が開くと再熱熱交換器２に冷媒が流れる。冷却用電磁弁７も制御装置１０からの指示に基づいて開閉制御を行う。冷却用電磁弁７が開くと室外熱交換器５に冷媒が流れる。ここで、本実施の形態においては、再熱用電磁弁６と冷却用電磁弁７とを同時に開くことで、再熱熱交換器２及び室外熱交換器５の両方に冷媒が流れることはないものとする。
【００２２】
図２は蓄排熱熱交換器９の一構造例を表す図である。蓄排熱熱交換器９は伝熱管１４とアルミニウム等の伝熱性に優れたフィン１５とで構成されている。蓄排熱熱交換器９は、除湿装置における空気の流れの最下流側に設けられている。そして、流れてくる空気と蓄熱材との間で熱交換を行う。蓄熱材よりも空気の方が温度が高ければ、空気が有する熱量の一部が蓄熱材に蓄熱されていくことになる。本実施の形態では、再熱除湿運転時において、吹き出し空気が有する熱量の一部が蓄熱材に蓄熱されることになる（蓄熱材は加熱されることになる）。このとき、熱量の一部が蓄排熱熱交換器９に奪われるため、除湿装置からの吹き出し空気の温度は蓄排熱熱交換器９が設けられていない場合に比べて低くなる。一方、蓄熱材の方が空気よりも温度が高ければ、蓄熱材から空気に対して放熱していくことになる。本実施の形態では、冷却除湿運転時において、蓄熱材が有する熱量が吹き出し空気に放熱されることになる（蓄熱材は冷却されることになる）。このとき、蓄排熱熱交換器９における熱量が空気に奪われるため、除湿装置からの吹き出し空気の温度は蓄排熱熱交換器９が設けられていない場合に比べて高くなる。
【００２３】
制御装置１０は、除湿装置の各機器の制御を行う。例えば、圧縮機１の運転周波数制御、流量調整弁３の流量調整制御、再熱用電磁弁６及び冷却用電磁弁７の開閉制御等を行う。
【００２４】
図３は冷却除湿運転及び再熱除湿運転における空気の変化を表す空気線図である。図３（ａ）に基づいて、冷却除湿運転における除湿装置内での空気の状態について説明する。まず、蒸発器４において吸い込み空気と冷媒との間で熱交換が行われる。このとき、蒸発器４から送り出される空気は、吸い込み空気に比べ、温度及び絶対湿度が低下している（（Ａ）→（Ｂ））。
【００２５】
冷却除湿運転では、再熱熱交換器２による再熱（レヒート）がないので、再熱熱交換器２の出口における空気は、再熱熱交換器２に流入する空気（蒸発器４から送り出される空気）と温度及び絶対湿度における変化がない（（Ｂ）→（Ｃ））。
【００２６】
そして、再熱熱交換器２の出口における空気（蓄排熱熱交換器９に流入する空気）に対し、蓄排熱熱交換器９は、再熱除湿運転時に蓄熱材に蓄熱されていた熱量を放熱するため、吹き出し空気の温度が高くなる。そして、絶対湿度は変わらないものの温度が高くなったため、相対湿度が低下する（（Ｃ）→（Ｄ））。
【００２７】
次に図３（ｂ）に基づいて、再熱除湿運転における除湿装置内での空気の状態について説明する。まず、吸い込み空気は蒸発器４において冷媒と熱交換される。このとき、蒸発器４から送り出される空気は、吸い込み空気に比べ、温度及び絶対湿度が低下している（（Ａ）→（Ｂ））。
【００２８】
再熱除湿運転時には、再熱熱交換器２が蒸発器４から送り出される空気を加熱する。このため、再熱熱交換器２から送り出される空気は、蒸発器４から送り出される空気に比べ、温度が高くなる（（Ｂ）→（Ｃ））。
【００２９】
そして、再熱除湿運転時には、再熱熱交換器２から送り出される空気は、蓄排熱熱交換器９を通過する際、熱量の一部が蓄熱材に蓄えられるため、吹き出し空気の温度が低くなる（（Ｃ）→（Ｄ））。
【００３０】
図４は除湿装置から吹き出される空気の温度と運転切り替えタイミングとの関係を表す図である。図４において、温度幅が大きい方は、再熱熱交換器２の出口側の空気の温度を表している。これは、従来の除湿装置における吹き出し空気の温度となる。また、温度幅が小さい方は蓄排熱熱交換器９の出口側の空気である吹き出し空気の温度を表している。図５に示すように、例えば、温度変化幅を小さくしても、従来の温度幅の場合と同じ頻度で切り替えを行うことができることを示している。逆に、従来と同じ温度幅で運転の切り替えを制御する場合には、切り替えに係る周期を長くすることができる。
【００３１】
図５は制御装置１０が行う除湿装置の動作制御処理のフローチャートを表す図である。制御装置１０の処理を中心に、本実施の形態の除湿装置の動作と冷媒の流れについて説明する。ここで、例えば、対象空間の目標温度の設定値に基づいて、温度の上限値と下限値とを決定しておき、制御装置１０が有する記憶手段（図示せず）に記憶しておくようにする。
【００３２】
制御装置１０は、対象空間の温度が下限値以下であるかどうか判断する（Ｓ１）。下限値以下であると判断すると再熱除湿運転を行う（Ｓ２）。再熱除湿運転においては、再熱用電磁弁６を開放し、冷却用電磁弁７を閉止する（Ｓ３）。
【００３３】
ここで、再熱除湿運転時の冷媒回路における冷媒の流れについて説明する。圧縮機１により加圧され、吐出した冷媒は再熱用電磁弁６を通過し、再熱熱交換器２に流入する。そして、再熱熱交換器２における凝縮により放熱して液冷媒となる。このとき再熱熱交換器２を通過する空気を加熱する。
【００３４】
再熱熱交換器２から流出した冷媒は、流量調整弁３により流量と圧力の調整を受け、蒸発器４に流入する。そして、蒸発器４における蒸発により吸熱してガス冷媒となる。このとき、蒸発器４を通過する空気を冷却する。さらに、冷却によって空気の相対湿度を高め、結露を発生させることで、空気中の水分を除去して再熱熱交換器２に流入させる。蒸発器４から流出した冷媒は、圧縮機１に吸入されることで冷媒が循環することとなる。
【００３５】
このとき、図３で示したように、除湿装置に吸入された空気は、蒸発器４を通過して冷却除湿された後、再熱熱交換器２で再熱され、さらに蓄排熱熱交換器９において冷却されることになる。
【００３６】
また、対象空間の温度が下限値以下でないと判断すると、対象空間の温度が上限値以上であるかどうか判断する（Ｓ４）。対象空間の温度が上限値以上でないと判断すると、Ｓ１に戻って、対象空間の温度が上限値以上であるか、下限値以下であるかどうかの判断を続ける。
【００３７】
一方、対象空間の温度が上限値以上であると判断すると冷却除湿運転を行う（Ｓ５）。冷却除湿運転においては、再熱用電磁弁６を閉止し、冷却用電磁弁７を開放する（Ｓ６）。
【００３８】
ここで、冷却除湿運転時の冷媒回路における冷媒の流れについて説明する。圧縮機１により加圧され、吐出した冷媒は冷却用電磁弁７を通過し、室外熱交換器５に流入する。そして、室外熱交換器５における凝縮により放熱して液冷媒となる。
【００３９】
室外熱交換器５から流出した冷媒は、流量調整弁３により流量と圧力の調整を受け、蒸発器４に流入する。そして、蒸発器４における蒸発により吸熱してガス冷媒となる。このとき、蒸発器４を通過する空気を冷却する。さらに、冷却によって空気の相対湿度を高め、結露を発生させることで、空気中の水分を除去して再熱熱交換器２に流入させる。蒸発器４から流出した冷媒は、圧縮機１に吸入されることで冷媒が循環することとなる。
【００４０】
このとき、図４で示したように、除湿装置に吸入された空気は、蒸発器４を通過して冷却除湿された後、さらに蓄排熱熱交換器９において加熱されることになる。
【００４１】
以上のように、実施の形態１の除湿装置によれば、再熱熱交換器２の空気流出側に、蓄熱材を有する蓄排熱熱交換器９を備え、再熱除湿運転時には、再熱によって温度が高くなった空気から熱量を奪って蓄熱しておき、冷却除湿運転時には、蓄熱した熱量を空気に与えるようにするようにしたので、最終的に除湿装置から吹き出される空気における温度の変化幅を小さくし、対象空間における温度変化を小さくすることができる。
【００４２】
また、特に冷却除湿運転において、蒸発器４を通過することで、飽和曲線に極端に近くなった（相対湿度約１００％）空気を、蓄排熱熱交換器９が加熱することで相対湿度を下げるようにしたので、例えば吹き出した空気を対象物に当てて乾燥させるような場合でも、乾燥速度を速くすることができる。
【００４３】
実施の形態２．
図６は本発明の実施の形態２に係る蓄排熱熱交換器９の構成を示す図である。上述の実施の形態１では特に示さなかったが、蓄排熱熱交換器９が蓄熱、放熱できる熱量は、蓄熱材の量によって異なる。このため、再熱熱交換器２の空気流出側からの空気に対して、所定の温度幅にするために、蓄熱、放熱できる熱量を定めたとき、多量の蓄熱材が必要となる場合がある。
【００４４】
そこで、本実施の形態の蓄排熱熱交換器９では、空気と蓄熱材との熱交換を行う熱交換器本体１７に充填しきれない蓄熱材を蓄えておく補助容器１６を備える。ここで、対流を発生させて熱交換器本体１７と補助容器１６との間で蓄熱材を自然循環させることができるように、熱交換器本体１５と補助容器１６とを鉛直方向に対して上下に配した２本の配管１８ａ、１８ｂで接続する。
【００４５】
例えば、熱交換器本体１７を通過する空気の熱により、熱交換器本体１７における蓄熱材の密度等が上部と下部とにおいて変化するため蓄熱材に対流が生じる。例えば、再熱により温度が高くなった空気から熱量を奪った場合には、下部の配管１８ａにおいては補助容器１６側から熱交換器本体１７側に蓄熱材が流れ、上部の配管１８ｂにおいては熱交換器本体１７側から補助容器１６側に蓄熱材が流れる。逆に、蒸発器４における冷却により温度が低くなった空気に放熱した場合には、下部の配管１８ａにおいては熱交換器本体１７側から補助容器１６側に蓄熱材が流れ、上部の配管１８ｂにおいては補助容器１６側から熱交換器本体１７側に蓄熱材が流れる。
【００４６】
ここで蓄熱材の量について説明する。例えば、冷却能力４ｋＷ（＝ｋＪ／ｓ）、加熱能力４ｋＷを有する除湿装置の運転切替時の温度変化を半分にしたい場合、３分間の熱交換に係る熱量の半分の熱量を、蓄排熱熱交換器９において蓄熱又は放熱できるようにすればよい。
【００４７】
例えば冷却運転３分間に係る冷却に係る熱量Ｑは、次式（１）のようになる。
熱量Ｑ＝４（ｋＪ／ｓ）×６０（ｓ）×３（ｍｉｎ）＝７２０（ｋＪ）  …（１）
蓄排熱熱交換器９の熱交換に係る熱量Ｒはその半分であるため、
熱量Ｒ＝７２０（ｋＪ）×０．５＝３６０（ｋＪ）                    …（２）
【００４８】
蓄排熱熱交換器９において、蓄排熱させるための蓄熱材として水を利用した場合、前述した熱量により、水を２０Ｋ温度変化させるまで熱交換させる場合の必要となる水量Ｓは次式（３）のようになる。ここで、水の比熱を４．２（ｋＪ／ｋ・ｋｇ）とする。
水量Ｓ＝３６０（ｋＪ）／４．２（ｋＪ／Ｋ・ｋｇ）／２０（Ｋ）
＝４．３ｋｇ        …（３）
【００４９】
また、同様に、例えば、冷却能力４ｋＷ、加熱能力４ｋＷを有する除湿装置の運転切替時の温度変化を１／４にしたい場合、３分間の熱交換に係る熱量の３／４の熱量を、蓄排熱熱交換器９において蓄熱又は放熱できるようにすればよい。したがって、蓄排熱熱交換器９の熱交換に係る熱量Ｔは次式（４）のようになる。
熱量Ｔ＝７２０（ｋＪ）×３／４＝５４０（ｋＪ）                    …（４）
【００５０】
蓄熱材として水を利用した場合、前述した熱量により、水を２０Ｋ温度変化させるまで熱交換させる場合の必要となる水量Ｕは次式（５）のようになる。
水量Ｕ＝５４０（ｋＪ）／４．２（ｋＪ／Ｋ・ｋｇ）／２０（Ｋ）
＝６．４ｋｇ        …（５）
以上のようにして、補助容器１６の要否、大きさ等を決定する。
【００５１】
以上のように、実施の形態２においては、蓄熱材を蓄熱するための補助容器１６を備えるようにしたので、蓄排熱熱交換器９における蓄熱、放熱に係る熱量を多くすることができる。また、対流により蓄熱材の流れを形成することで、ポンプ等の駆動装置（アクチュエータ）を用いることなく、効率的に蓄熱、放熱を行うことができる。
【００５２】
実施の形態３．
図７は本発明の実施の形態３に係る除湿装置の構成を示す図である。本実施の形態の除湿装置は、再熱熱交換器２と蓄排熱熱交換器９とを、フィンを共通にして一体化した熱交換器２Ａを備えたものである。再熱熱交換器２と蓄排熱熱交換器９とを一体化し、フィンを共通にすることにより、構造を簡易にし、小型化及び製造コストの低減を図ることができる。
【００５３】
また、凝縮による冷媒が放出した熱が、熱交換器を構成するフィン及び伝熱管を介して蓄熱材に伝わることで、空気を介することなく熱を伝えることができるので、エネルギーの損失を防ぎ、効率よく蓄熱させることができる。
【００５４】
実施の形態４．
上述の実施の形態では、再熱熱交換器２と蓄排熱熱交換器９とを凝縮器として機能する旨を説明したが、例えば、二酸化炭素のような超臨界状態となる流体を冷媒とした場合には、ガスクーラーとして機能する。
【００５５】
また、本実施の形態では、蓄熱材を充填した蓄排熱熱交換器９を蓄排熱手段とすることで、蓄排熱を効率的に行うようにしたが、これに限定するものではない。例えば、固形の蓄熱材を再熱熱交換器２の空気の流出側（二次側）に配置して、蓄排熱を行わせるようにしてもよい。
【符号の説明】
【００５６】
１  圧縮機、２  再熱熱交換器、３  流量調整弁、４  蒸発器、５  室外熱交換器、６  再熱用電磁弁、７  冷却用電磁弁、８  送風機、９  蓄排熱熱交換器、１０  制御装置、１４  伝熱管、１５  フィン、１６  補助容器、１７  熱交換器本体、１８ａ，１８ｂ  配管、１００  室内側装置、２００  室外側装置。
【図１】
2011156479.tif 000003
【図２】
2011156479.tif 000004
【図３】
2011156479.tif 000005
【図４】
2011156479.tif 000006
【図５】
2011156479.tif 000007
【図６】
2011156479.tif 000008
【図７】
2011156479.tif 000009